(57)【要約】      （修正有）【課題】１μｍ程度のエアロゾル内の新型コロナウイルスであっても、捕捉できるマスクを提供する。【解決手段】マスク１０は、本体２０と、本体２０の左右の端部に配設される取付体としての紐５０と、を備える。本体２０にはポケット２１が配設され、ポケット２１内には、保冷剤６０が配され、本体２０より吸水能力が高い吸水部材７０が、ポケット２１と保冷剤６０との間に配される。保冷剤６０により、マスク１０内の温度が下がり、飽和水蒸気量が低下して露点温度より低下した水蒸気は水滴となり、吸水部材７０で吸水して除去することが可能となる。【選択図】図２
0003231316.tif 000002
【実用新案登録請求の範囲】
【請求項１】
本体と、
前記本体の左右の端部に配設される取付体と、を備えるマスクであって、
前記本体にはポケットが配設され、
前記ポケット内には、保冷剤が配され、
前記本体より吸水能力が高い吸水部材が、前記ポケットと前記保冷剤との間に配されることを特徴とするマスク。
【請求項２】
前記本体が、着用者の顔に対向する側に配される内側部材と、前記内側部材の前記着用者の顔とは反対側に配される外側部材と、を有し、
前記内側部材と前記外側部材との間の空間で、前記ポケットが形成され、
前記吸水部材が、少なくとも、前記内側部材と前記保冷剤との間に配されることを特徴とする請求項１記載のマスク。
【請求項３】
着用した状態において、前記吸水部材が、前記着用者の頬と対向するように配されていることを特徴とする請求項１又は２記載のマスク。
【請求項４】
前記本体の外周縁部の少なくとも一部には、前記着用者の顔との間に生じる隙間を埋めることが可能な接顔補助部が配設されていることを特徴とする請求項１、２又は３記載のマスク。
【請求項５】
前記本体の左右方向における中央部には、着用した状態において、前記着用者の顔との間に空間を形成可能な張り出し形成部が配設されていることを特徴とする請求項１、２、３又は４記載のマスク。
【考案の詳細な説明】
【技術分野】
【０００１】
本考案は、着用者の顔を覆い可能なマスクに関する。
【背景技術】
【０００２】
昨今、新型コロナウイルスの感染拡大により、マスクの着用が奨励されている。従来のマスクとして、特許文献１に記載されるものがあり、着用者の顔を覆い可能な本体と、耳に引っ掛け可能な耳紐と、を有し、本体には、保冷剤を収納可能なポケットが配設されていた。
【０００３】
上記の構成のマスクにより、気温と湿度が高い時の熱中症対策が可能となった。
【先行技術文献】
【特許文献】
【０００４】
【特許文献１】実用新案登録第３２２７１４５号公報
【考案の概要】
【考案が解決しようとする課題】
【０００５】
しかし、上記のマスクでは、部材については明確な記載がなく、仮に、一般的な不織布マスクで用いられる部材であるならば、５μｍまでの粒径の粒子であれば、捕捉することができるが、例えば、新型コロナウイルス陽性者の呼気に含まれる、１μｍ程度のエアロゾル内の新型コロナウイルスは、捕捉できないという問題があった。
【０００６】
本考案は、上記事情に鑑み、１μｍ程度のエアロゾル内の新型コロナウイルスであっても、捕捉できるマスクを提供するものである。
【課題を解決するための手段】
【０００７】
請求項１記載の考案では、本体と、
前記本体の左右の端部に配設される取付体と、を備えるマスクであって、
前記本体にはポケットが配設され、
前記ポケット内には、保冷剤が配され、
前記本体より吸水能力が高い吸水部材が、前記ポケットと前記保冷剤との間に配される。
【０００８】
これによれば、保冷剤により、マスク内の温度が下がり、飽和水蒸気量が低下して、露点温度より低下した水蒸気分は水滴となり、本体より吸水能力が高い吸水部材で吸水して除去することが可能となる。新型コロナウイルスの大きさは０．１μｍ程度であるが、会話や呼気により放出される５μｍ以下の微小水滴エアロゾルにも含まれており、本考案のマスクにより、例えば、１μｍ程度のエアロゾル内の新型コロナウイルスであっても、捕捉できる。
【０００９】
また、前記本体が、着用者の顔に対向する側に配される内側部材と、前記内側部材の前記着用者の顔とは反対側に配される外側部材と、を有し、
前記内側部材と前記外側部材との間の空間で、前記ポケットが形成され、
前記吸水部材が、少なくとも、前記内側部材と前記保冷剤との間に配される。
【００１０】
これによれば、内側部材及び外側部材で本体が構成されるマスクに好適なものとなる。
【００１１】
また、着用した状態において、前記吸水部材が、前記着用者の頬と対向するように配されている。
【００１２】
これによれば、呼気が当たりやすい領域に吸水部材が配されることになるので、効果的に水滴を捕捉することができる。
【００１３】
また、前記本体の外周縁部の少なくとも一部には、前記着用者の顔との間に生じる隙間を埋めることが可能な接顔補助部が配設されている。
【００１４】
これによれば、接顔補助部により、顔の凹凸により生じる隙間を埋めることができるので、呼気によるエアロゾルの排出を防止することができる。
【００１５】
また、前記本体の左右方向における中央部には、着用した状態において、前記着用者の顔との間に空間を形成可能な張り出し形成部が配設されている。
【００１６】
これによれば、張り出し形成部により、着用者の顔と、マスクとの間の空間部分を大きくすることができるので、エアロゾル（微小水滴）を、より大きな水滴とすることに寄与する。
【図面の簡単な説明】
【００１７】
【図１】本考案の一実施形態としてのマスクが折り畳まれた状態の説明図である。
【図２】同実施形態のマスクが開かれた状態の裏側からみた説明図である。
【図３】ポケット部分の縦断面図である。
【図４】ポケットに保冷剤を入れたときの四か所の平均温度のグラフである。
【考案を実施するための形態】
【００１８】
本考案のマスクの一実施形態について図面に基づいて説明する。
【００１９】
マスク１０は、図１〜３に示すように、本体２０と、取付体としての紐５０と、保冷剤６０と、吸水部材７０と、を備えている。
【００２０】
本体２０は、着用者の顔に対向する側に配される内側部材３０と、内側部材３０の着用者の顔とは反対側に配される外側部材４０と、を有している。
【００２１】
本実施形態では、内側部材３０及び外側部材４０は、ガーゼ生地で形成され、一辺側が湾曲する略台形状の部材が、端部分で縫合されて形成されている。着用しないときは、図１に参照するように、中央部分で折り曲げられた状態となり、着用時には、図２に参照するように、開かれた状態となる。
【００２２】
内側部材３０及び外側部材４０は、折り曲げられた状態において、図１における左側に略半円状に突出する、張り出し形成部３１、４１がそれぞれ配設されている。張り出し形成部３１、４１は、着用者の顔との間により大きな空間を形成するためのものである。換言すれば、着用者が着用した状態において、本体２０の左右方向における中央部には、着用した状態において、着用者の顔との間に空間を形成可能な張り出し形成部が配設されていることになる。
【００２３】
本体２０は、内側部材３０と外側部材４０を対向させて、外周縁部どうしを縫合して形成されている。内側部材３０には、着用者が着用した状態における、上部に左右方向に沿って切込み３２が設けられている。切込み３２から、保冷剤６０、吸水部材７０、後述する接顔補助部を構成する綿体を出し入れ可能とされている。
【００２４】
また、本体２０には、切込み３２から、内側部材３０と外側部材４０が、略コの字状に縫合される縫合部２１ａが配設されている。
【００２５】
本実施形態では、本体２０の縫合部２１ａで囲まれる領域、かつ、内側部材３０と外側部材４０との間の空間は、保冷剤６０と、吸水部材７０を収容可能なポケット２１とされている。
【００２６】
着用者が着用した状態における、本体２０の左右の端部には、折り返されて筒状に形成された筒状部２２が設けられている。筒状部２２には、取付体としてのリング状の紐５０が通されている。
【００２７】
ポケット２１内には、高吸水性樹脂（Ｓｕｐｅｒａｂｓｏｒｂｅｎｔ Ｐｏｌｙｍｅｒ）であるポリアクリル酸ナトリウム製で、平板状の保冷剤６０が配されている。保冷剤６０と内側部材３０及び外側部材４０との間には、吸水部材７０が配されている。
【００２８】
吸水部材７０は、連結網目構造を有して、内側部材３０及び外側部材４０より、吸水能力が高い吸水部材が用いられている。
【００２９】
吸水部材７０は、着用した状態において、着用者の頬と対向するように配されている。
【００３０】
本体２０の外周縁部２０ａには、着用者の顔との間に生じる隙間を埋めることが可能な接顔補助部が配設されている。
【００３１】
本実施形態では、接顔補助部は、本体２０の上縁部の空間内に配される楕円球状の綿体で構成される上接顔補助部２３と、筒状部２２内に配される綿体で構成される横接顔補助部２４と、本体２０の下縁部の空間内に配される円柱状の綿体で構成される下接顔補助部２５と、で構成される。
【００３２】
なお、横接顔補助部２４は、紐５０の外側に綿体が巻き付けられて形成されている。
【００３３】
マスク１０の機能作用について説明する。図４は、マスク１０に保冷剤６０（４０ｇ×２）をいれたときのマスク内４か所（１．口先の前空間  ２．鼻頂点の前空間  ３．保冷剤６０と頬の間  ４．保冷剤６０外側表面と接する空間）における平均温度（℃）の時間変化を示したものである。
【００３４】
マスク内平均温度（℃）をみてみると、保冷剤６０無しの状態で、３２．１℃で、１分後には２１．５℃で、３０分後では１６．８度となり次第に低下していく。その後は保冷剤６０が温められ、６０分後で２１．１℃、９０分後で２１．３℃、で少しずつ温度が上昇していくが、１２０分後でも２５．８℃と冷却効果が残っている。以上のことより、３６度程度ある着用者の呼気が、十分に冷却できるといえる。
【００３５】
保冷剤６０により、マスク１０内の温度が下がり、飽和水蒸気量が低下して、露点温度より低下した水蒸気分は水滴となる。そして、着用者の呼気の流れにより、水滴は、連結網目構造を有する吸水部材７０で吸水されて除去される。
【００３６】
吸水部材７０は、内側部材３０及び外側部材４０より、吸水能力が高いので、内側部材３０及び外側部材４０で吸水しきれない水滴を除去することができる。
【００３７】
上記構成のマスク１０では、本体２０と、
本体２０の左右の端部に配設される取付体としての紐５０と、を備えるマスクであって、
本体２０にはポケット２１が配設され、
ポケット２１内には、保冷剤６０が配され、
本体２０より吸水能力が高い吸水部材７０が、ポケット２１と保冷剤６０との間に配される。
【００３８】
これによれば、保冷剤６０により、マスク１０内の温度が下がり、飽和水蒸気量が低下して、露点温度より低下した水蒸気分は水滴となり、本体２０より吸水能力が高い吸水部材７０で吸水して除去することが可能となる。新型コロナウイルスの大きさは０．１μｍ程度であるが、会話や呼気により放出される５μｍ以下の微小水滴エアロゾルにも含まれており、本考案のマスクにより、例えば、１μｍ程度のエアロゾル内の新型コロナウイルスであっても、捕捉できる。
【００３９】
また、本体２０が、着用者の顔に対向する側に配される内側部材３０と、内側部材３０の着用者の顔とは反対側に配される外側部材４０と、を有し、
内側部材３０と外側部材４０との間の空間で、ポケット２１が形成され、
吸水部材７０が、少なくとも、内側部材３０と保冷剤６０との間に配される。
【００４０】
これによれば、内側部材３０及び外側部材４０で本体２０が構成されるマスクに好適なものとなる。
【００４１】
また、着用した状態において、吸水部材７０が、着用者の頬と対向するように配されている。
【００４２】
これによれば、呼気が当たりやすい領域に吸水部材７０が配されることになるので、効果的に水滴を捕捉することができる。
【００４３】
また、本体２０の外周縁部２０ａの少なくとも一部には、着用者の顔との間に生じる隙間を埋めることが可能な上接顔補助部２３、横接顔補助部２４、下接顔補助部２５が配設されている。
【００４４】
これによれば、上接顔補助部２３、横接顔補助部２４、下接顔補助部２５により、顔の凹凸により生じる隙間を埋めることができるので、呼気によるエアロゾルの排出を防止することができる。
【００４５】
また、本体２０の左右方向における中央部には、着用した状態において、着用者の顔との間に空間を形成可能な張り出し形成部３１、４１が配設されている。
【００４６】
これによれば、張り出し形成部３１、４１により、着用者の顔と、マスク１０との間の空間部分を大きくすることができるので、エアロゾル（微小水滴）を、より大きな水滴とすることに寄与する。
【００４７】
本考案のマスクは上記構成に限定されるものではない。即ち、本考案の要旨を逸脱しない限り各種の設計変更等が可能である。
【００４８】
例えば、内側部材３０及び外側部材４０の素材は、不織布等既存の生地を用いることができる。
【００４９】
また、本体２０は、内側部材３０及び外側部材４０とで構成したが、一枚の部材で構成し、表面と裏面のいずれか一方、又は、表面と裏面にポケットを配設することも可能である。
【００５０】
また、内側部材３０及び外側部材４０の形状は、使用態様に応じて適宜変更することができる。
【００５１】
また、保冷剤６０の大きさ、重さ、形状等は、使用態様に応じて適宜変更することができる。
【００５２】
また、吸水部材７０は、保冷剤６０と内側部材３０との間のみに配することも可能である。
【符号の説明】
【００５３】
１０  マスク
２０  本体
２０ａ  外周縁部
２１  ポケット
２３  上接顔補助部
２４  横接顔補助部
２５  下接顔補助部
３０  内側部材
３１  張り出し形成部
４０  外側部材
４１  張り出し形成部
５０  紐
６０  保冷剤
７０  吸水部材
【図１】
0003231316.tif 000003
【図２】
0003231316.tif 000004
【図３】
0003231316.tif 000005
【図４】
0003231316.tif 000006